(57)【特許請求の範囲】
【請求項１】
横断面が円形の複数の丸棒バスバーと、
前記丸棒バスバーを通過させるように略環状形状に設けられる電流センサコアおよび電流センサ素子を有する複数の電流センサと、
前記電流センサコアに前記丸棒バスバーを通過させるため、前記丸棒バスバーを通過させる貫通孔を含み、複数の前記電流センサコアを一体化した樹脂ケースと、を備え、
前記丸棒バスバーと前記樹脂ケースとの間には、前記丸棒バスバーの前記樹脂ケースに対する取付け位置を固定するための位置決め構造が設けられ、
前記位置決め構造は、前記樹脂ケースに対する前記丸棒バスバーの軸周りの位置を固定するため、前記丸棒バスバーには、前記軸方向に対して交差する方向に張出す凸部が設けられ、前記樹脂ケースには、前記凸部を前記軸方向に対して交差する方向から受け入れる凹部が設けられる、電流センサ組立体。
【請求項２】
前記位置決め構造は、前記樹脂ケースに対する前記丸棒バスバーの軸方向の位置を固定するため、前記丸棒バスバーには、前記軸方向に対して交差する方向に張出すフランジが設けられ、前記樹脂ケースには、前記フランジを前記軸方向側から受ける拡径部が設けられる、請求項１に記載の電流センサ組立体。
【請求項３】
略環状形状の電流センサコアを複数配列する工程と、
それぞれの前記電流センサコアを貫通する貫通孔を有するように前記電流センサコアを樹脂で一体化した樹脂ケースを形成する工程と、
前記樹脂ケースに設けられたそれぞれの前記貫通孔に対して、横断面が円形の複数の丸棒バスバーを貫通させて位置決めする工程と、
それぞれの前記丸棒バスバーに対して端子加工を施す工程と、
電流センサ素子を前記電流センサコアの所定位置に装着する工程と、
を備え、
前記樹脂ケースに対して、前記丸棒バスバーの位置決めを行なった後に、
それぞれの前記丸棒バスバーに対して曲げ加工を施す工程をさらに含む、電流センサ組立体の組立方法。
【発明の詳細な説明】
【技術分野】
【０００１】
本発明は、バスバーに流れる電流を検知する電流センサを複数有する電流センサ組立体およびその組立方法に関する。
【背景技術】
【０００２】
ハイブリッド車や電気自動車等に用いられる車両用電気機器においては、モータジェネレータの端子とＰＣＵのインバータの端子とは、バスバーを用いて電気的に接続される。また、バスバ−に流れる電流を検知するために電流センサが用いられる。このようなバスバーを用いた端子間の接続構造、および、電流センサを開示するものとして、下記の特許文献１から特許文献５が挙げられる。
【０００３】
従来バスバーには、横断面が矩形の平型バスバーが多く用いられている。また、モータジェネレータの端子位置およびＰＣＵのインバータの端子位置との関係から、複数の平型バスバーを並べて配置する場合には、平型バスバーの横断面の長手方向の辺が延びる方向に沿って、平型バスバーが配置される。その結果、電流センサも平型バスバーの配置ピッチに合わせて並べる必要がある。このため、電流センサを並べて配置した場合、電流センサ組立体が大型化する。
【０００４】
また、モータジェネレータの端子位置およびＰＣＵのインバータの端子位置との関係から、平型バスバーに対して曲げ加工を行なう必要がある。この場合、電流センサに平型バスバーを通過させた後に平型バスバーに対して曲げ加工を行なう。しかし、平型バスバーに対する曲げ加工、特に平型バスバーの横断面の長手方向の辺が延びる方向に沿う折り曲げ加工は、加工上の制約が多い。また、平型バスバーと電流センサとの間の位置関係が変化（隙間の変化）してしまい、電流センサ組立体の歩留まりを低下させる。
【先行技術文献】
【特許文献】
【０００５】
【特許文献１】特開平０９−０９３７７１号公報
【特許文献２】特開２００９−１５６８０３号公報
【特許文献３】特開２００９−１５６８０２号公報
【特許文献４】特開２００３−０４５２３１号公報
【特許文献５】特開２００４−１０４８７２号公報
【発明の概要】
【発明が解決しようとする課題】
【０００６】
この発明が解決しようとする課題は、電流センサ組立体が大型化する点、平型バスバーの曲げ加工に制約が多い点、平型バスバーの曲げ加工に起因して、電流センサ組立体の歩留まりが低下する点にある。したがって、この発明の目的は、上記課題を解決するためになされたものであり、電流センサ組立体の小型化、バスバーの曲げ加工を容易にし、電流センサ組立体の歩留まりを向上させることが可能な構造を有する、電流センサ組立体およびその組立方法を提供することにある。
【課題を解決するための手段】
【０００７】
この発明に基づいた電流センサ組立体においては、横断面が円形の複数の丸棒バスバーと、上記丸棒バスバーを通過させるように略環状形状に設けられる電流センサコアおよび電流センサ素子を有する複数の電流センサと、上記電流センサコアに上記丸棒バスバーを通過させるため、上記丸棒バスバーを通過させる貫通孔を含み、複数の上記電流センサコアを一体化した樹脂ケースとを備え、上記丸棒バスバーと上記樹脂ケースとの間には、上記丸棒バスバーの上記樹脂ケースに対する取付け位置を固定するための位置決め構造が設けられる。
【０００８】
上記電流センサ組立体の他の形態においては、上記位置決め構造は、上記樹脂ケースに対する上記丸棒バスバーの軸方向の位置を固定するため、上記丸棒バスバーには、上記軸方向に対して交差する方向に張出すフランジが設けられ、上記樹脂ケースには、上記フランジを上記軸方向側から受ける拡径部が設けられる。
【０００９】
上記電流センサ組立体の他の形態においては、上記位置決め構造は、上記樹脂ケースに対する上記丸棒バスバーの軸周りの位置を固定するため、上記丸棒バスバーには、上記軸方向に対して交差する方向に張出す凸部が設けられ、上記樹脂ケースには、上記凸部を上記軸方向に対して交差する方向から受け入れる凹部が設けられる。
【００１０】
この発明に基づいた電流センサ組立体の組立方法においては、略環状形状の電流センサコアを複数配列する工程と、ぞれぞれの上記電流センサコアを貫通する貫通孔を有するように上記電流センサコアを樹脂で一体化した樹脂ケースを形成する工程と、上記樹脂ケースに設けられたそれぞれの上記貫通孔に対して、横断面が円形の複数の丸棒バスバーを貫通させて位置決めする工程と、それぞれの上記丸棒バスバーに対して端子加工を施す工程と、電流センサ素子を上記電流センサコアの所定位置に装着する工程とを備える。
【００１１】
上記電流センサ組立体の組立方法の他の形態においては、上記樹脂ケースに対して、上記丸棒バスバーの位置決めを行なった後に、それぞれの上記丸棒バスバーに対して曲げ加工を施す工程をさらに含む。
【発明の効果】
【００１２】
この発明に基づいた電流センサ組立体およびその組立方法によれば、電流センサ組立体の小型化、バスバーの曲げ加工を容易にし、電流センサ組立体の歩留まりを向上させることが可能な構造を有する、電流センサ組立体およびその組立方法を提供することが可能となる。
【図面の簡単な説明】
【００１３】
【図１】モータジェネレータへの電力供給系の概略図である。
【図２】実施の形態における電流センサ組立体の全体構成を示す斜視図である。
【図３】実施の形態における電流センサ組立体の内部構造を示す部分斜視図である。
【図４】図３中のＩＶ−ＩＶ線矢視断面図である。
【図５】横断面が矩形の平型バスバーを用いた場合の、図３中のＩＶ−ＩＶ線矢視に相当する断面図である。
【図６】実施の形態における樹脂ケースの全体構成を示す斜視図である。
【図７】図６中のＶＩＩ−ＶＩＩ線矢視断面図である。
【図８】図６中のＶＩＩＩ−ＶＩＩＩ線矢視断面図である。
【図９】丸棒バスバー用の電流センサコアの製造工程を示す概念図である。
【図１０】平型バスバー用の電流センサコアの製造工程を示す概念図である。
【図１１】平型バスバーの製造工程を示す概念図である。
【図１２】実施の形態における電流センサ組立体の組立方法を示す第１工程図である。
【図１３】実施の形態における電流センサ組立体の組立方法を示す第２工程図である。
【図１４】実施の形態における電流センサ組立体の組立方法を示す第３工程図である。
【図１５】実施の形態における電流センサ組立体の組立方法を示す第４工程図である。
【図１６】実施の形態における電流センサ組立体の組立方法を示す第５工程図である。
【発明を実施するための形態】
【００１４】
本発明に基づいた実施の形態における電流センサ組立体およびその組立方法について、以下、図を参照しながら説明する。なお、以下に説明する実施の形態において、個数、量などに言及する場合、特に記載がある場合を除き、本発明の範囲は必ずしもその個数、量などに限定されない。また、同一の部品、相当部品に対しては、同一の参照番号を付し、重複する説明は繰り返さない場合がある。
【００１５】
（モータジェネレータへの電力供給系）
本実施の形態おける電流センサ組立体を車両駆動装置に適用した一例について、以下、図１を参照して説明する。なお、図１は、モータジェネレータへの電力供給系の概略図である。車両駆動装置は、エンジンと、電動機と発電機とを兼ね、主に発電機として動作するモータジェネレータＭＧ１と、主に電動機として動作するモータジェネレータＭＧ２とを備えている。
【００１６】
モータジェネレータＭＧ１、ＭＧ２への電力供給系については、ニッケル水素又はリチウムイオン等の二次電池からなるバッテリ１０６と、パワーコントロールユニット（以下「ＰＣＵ」という）１１０とから構成される。ＰＣＵ１１０は、バッテリ１０６から供給される直流電圧を昇圧する昇圧コンバータ１０５と、昇圧コンバータ１０５からの直流電圧を交流電圧に変換してモータジェネレータＭＧ１、ＭＧ２に供給するインバータ１０３、１０４とから構成される。
【００１７】
モータジェネレータＭＧ１、ＭＧ２が発電機として動作するときは、モータジェネレータＭＧ１、ＭＧ２からの交流電圧がインバータ１０３、１０４で直流電圧に変換され、さらに昇圧コンバータ１０５で逆に降圧された後、バッテリ１０６に充電される。
【００１８】
モータジェネレータＭＧ１とインバータ１０３との間のＵ相、Ｖ相、Ｗ相は、それぞれバスバー１１，１２，１３により連結され、モータジェネレータＭＧ２とインバータ１０４との間のＵ相、Ｖ相、Ｗ相は、それぞれバスバー２１，２２，２３により連結される。
【００１９】
バスバー１１，１２，１３，２１，２２，２３には、モータジェネレータＭＧ１、ＭＧ２のそれぞれに流れるモータ電流（すなわち、インバータ出力電流）を検出するための電流センサ組立体２００が設けられている。この電流センサ組立体２００では、モータジェネレータＭＧ１、ＭＧ２のそれぞれに流れるモータ電流の、Ｕ相、Ｖ相、Ｗ相のうちの２相分のモータ電流（たとえば、Ｖ相電流ｉｖおよびＷ相電流ｉｗ）を検知するように配置されている。
【００２０】
（電流センサ組立体２００の構成）
次に、図２から図１１を参照して、本実施の形態における電流センサ組立体２００の構成について説明する。まず、図２から図４を参照して、電流センサ組立体２００概略構成について説明する。なお、図２は、電流センサ組立体２００の全体構成を示す斜視図、図３は、電流センサ組立体２００の内部構造を示す部分斜視図、図４は、図３中のＩＶ−ＩＶ線矢視断面図である。また、図３および図４において、内部構造を明確に示すため、樹脂ケース２５０は破線で図示している。
【００２１】
この電流センサ組立体２００は、横断面が円形の複数の丸棒バスバー２１１，２１２，２１３，２２１，２２２，２２３を有している。丸棒バスバー２１１は、モータジェネレータＭＧ１のＷ相の接続、丸棒バスバー２１２は、モータジェネレータＭＧ１のＶ相の接続、丸棒バスバー２１３は、モータジェネレータＭＧ１のＵ相の接続に用いられる。丸棒バスバー２２１は、モータジェネレータＭＧ２のＷ相の接続、丸棒バスバー２２２は、モータジェネレータＭＧ２のＶ相の接続、丸棒バスバー２２３は、モータジェネレータＭＧ１のＵ相の接続に用いられる。
【００２２】
丸棒バスバー２１１，２１２，２１３，２２１，２２２，２２３には、モータジェネレータＭＧ１，ＭＧ２の端子位置およびＰＣＵのインバータ１０３，１０４の端子位置との関係から、所定の曲げ加工が施されている。さらに、各丸棒バスバー２１１，２１２，２１３，２２１，２２２，２２３の両端部には、連結用の端子加工が施されている。端子加工としては、２１１，２１２，２１３，２２１，２２２，２２３の両端部に、接続用孔２１１ｃを有する平板状部２１１ｂを設ける。なお、曲げ加工を施す必要のないバスバーも存在する。
【００２３】
電流センサ組立体２００は、樹脂ケース２５０を有している。この樹脂ケース２５０は、丸棒バスバー２１１，２１２，２２１，２２２を保持する本体部２５１と、丸棒バスバー２１３，２２３を保持する耳部２５２,２５２とを有している。
【００２４】
樹脂ケース２５０の本体部２５１の内部には、図３に示すように、略環状形状の電流センサコア２７１ｃ，２７２ｃ，２７３ｃ，２７４ｃが設けられ、樹脂ケース２５０の本体部２５１と電流センサコア２７１ｃ，２７２ｃ，２７３ｃ，２７４ｃとは一体化されている。
【００２５】
丸棒バスバー２１１，２１２，２１３，２２１，２２２，２２３と、樹脂ケース２５０（本体部２５１および耳部２５２,２５２）との間には、丸棒バスバー２１１，２１２，２１３，２２１，２２２，２２３の樹脂ケース２５０に対する取付け位置を固定するための位置決め構造が設けられる。
【００２６】
具体的には、丸棒バスバー２１１，２１２，２１３，２２１，２２２，２２３には、その軸方向に対して交差する方向に張出すフランジ２１２２と、さらにこのフランジ２１２２から軸方向に対して交差する方向に張出す凸部２１２１とが設けられている。
【００２７】
一方、樹脂ケース２５０には、丸棒バスバー２１１，２１２，２１３，２２１，２２２,２２３を通過させる貫通孔２５３が設けられ、各貫通孔２５３の樹脂ケース２５０の表面には、上記フランジ２１２２を軸方向側から受ける拡径部２５４と、上記凸部２１２１を軸方向に対して交差する方向から受け入れる凹部２５６とが設けられている。
【００２８】
このように、丸棒バスバー２１１，２１２，２１３，２２１，２２２，２２３の表面にフランジ２１２２を設けることで、フランジ２１２２は拡径部２５４により支持されることから、丸棒バスバーの軸方向の位置決めを容易に行なうこと可能となる。
【００２９】
また、丸棒バスバー２１１，２１２，２１３，２２１，２２２，２２３の表面に凸部２１２１を設けることで、凸部２１２１は凹部２５６により支持されることから、丸棒バスバーの軸周りの回転が規制され、丸棒バスバーの軸周り方向の位置決めを容易に行なうこと可能となる。
【００３０】
なお、丸棒バスバーの軸方の位置決めが問題にならない場合には、丸棒バスバーの軸周りの回転のみを規制する位置決め構造のみを採用すること、または、丸棒バスバーの軸周りの位置決めが問題にならない場合には、丸棒バスバーの軸方向の移動を規制する位置決め構造のみを採用することも可能である。
【００３１】
図４に示すように、電流センサコア２７１ｃ，２７２ｃ，２７３ｃ，２７４ｃには、それぞれスリット２７１ｓ，２７２ｓ，２７３ｓ，２７４ｓが設けられ、この各スリット２７１ｓ，２７２ｓ，２７３ｓ，２７４ｓには、それぞれ電流センサ素子２８１，２８２，２８３，２８４が挿入されている。
【００３２】
電流センサ素子２８１，２８２，２８３，２８４は、樹脂ケース２５０に設けられた開口部２６１から、電流センサコア２７１ｃ，２７２ｃ，２７３ｃ，２７４ｃに設けられたスリット２７１ｓ，２７２ｓ，２７３ｓ，２７４ｓから挿入され、基板２６０に固定されている。
【００３３】
電流センサコア２７１ｃと電流センサ素子２８１とにより、丸棒バスバー２１１の電流センサ２７１を構成し、電流センサコア２７２ｃと電流センサ素子２８２とにより、丸棒バスバー２１２の電流センサ２７２を構成し、電流センサコア２７３ｃと電流センサ素子２８３とにより、丸棒バスバー２２１の電流センサ２７３を構成し、電流センサコア２７４ｃと電流センサ素子２８４とにより、丸棒バスバー２２２の電流センサ２７４を構成する。
【００３４】
基板２６０からは、電流センサ２７１，２７２，２７３，２７４から得られた電気信号を出力するためのケーブル２３０およびコネクタ２４０が連結されている（図２および図３参照）。
【００３５】
ここで、図５に、背景技術における電流センサ組立体の断面構造を示す。背景技術においては、バスバーに横断面が矩形の平型バスバー２１１，２１２，２１３，２２１，２２２,２２３を用いている。図４に示す本実施の形態における電流センサ組立体２００に相当する箇所には、同じ符合を付している。本実施の形態における丸棒バスバーと背景技術における平型バスバーとは同じ断面積を有している。
【００３６】
図４と図５との対比からも明らかなように、本実施の形態においては（図４）、丸棒バスバーを用いていることから、電流センサコアも、丸棒バスバーの周囲を取囲むように設けられる略環状形状となる。
【００３７】
一方、背景技術の場合には（図５）、平型バスバーを用いていることから、電流センサコアも、平型バスバーの周囲を取囲む、長方形形状となる。その結果、同じ機能を有している場合であっても、平型バスバーの配置ピッチ（Ｌ２）よりも、丸棒バスバーの配置ピッチ（Ｌ１）の方を小さくすることができる。また、丸棒バスバーの曲げ加工は容易に行なうことができるため、電流センサコアの配置ピッチを最小限にするこができる。
【００３８】
その結果、本実施の形態に示すように、電流センサコアを複数並べて配置した場合には、図４に示す平型バスバーを用いた電流センサ組立体に比べて、電流センサ組立体を小型化することが可能になる。
【００３９】
（電流センサ組立体２００の組立方法）
次に、図６から図１６を参照して、電流センサ組立体２００の組立方法について説明する。まず、図６から図８を参照して、樹脂ケース２５０の具体的構造について説明する。なお、図６は、樹脂ケース２５０の全体構成を示す斜視図、図７は、図６中のＶＩＩ−ＶＩＩ線矢視断面図、図８は、図６中のＶＩＩＩ−ＶＩＩＩ線矢視断面図である。
【００４０】
略環状形状の電流センサコア２７１ｃ，２７２ｃ，２７３ｃ，２７４ｃを複数配列した状態で、ぞれぞれの電流センサコア２７１ｃ，２７２ｃ，２７３ｃ，２７４ｃを貫通する貫通孔２５３を有するように電流センサコア２７１ｃ，２７２ｃ，２７３ｃ，２７４ｃを樹脂で一体化した樹脂ケース２５０を形成する。
【００４１】
樹脂ケース２５０は、貫通孔２５３を有し、電流センサコア２７１ｃ，２７２ｃ，２７３ｃ，２７４ｃが一体化された本体部２５１と、本体部２５１の長手方向の両端において、貫通孔２５３が設けられる耳部２５２，２５２とを有している。貫通孔２５３の表面には、位置決め構造としての凹部２５６および拡径部２５４が形成されている。
【００４２】
樹脂ケース２５０の本体部２５１には、電流センサ素子２８１，２８２，２８３，２８４を固定する基板２６０も、電流センサコア２７１ｃ，２７２ｃ，２７３ｃ，２７４ｃとともに一体化されている。また、本体部２５１には、電流センサ素子２８１，２８２，２８３，２８４に設けられる各スリット２７１ｓ，２７２ｓ，２７３ｓ，２７４ｓに電流センサ素子２８１，２８２，２８３，２８４を挿入し、電流センサ素子２８１，２８２，２８３，２８４を基板２６０に固定するための開口部２６１が形成されている。
【００４３】
ここで、図９および図１０を参照して、本実施の形態における電流センサコアの製造と、従来の電流センサコアの製造とを比較する。なお、図９は、丸棒バスバー用の電流センサコアの製造工程を示す概念図、図１０は、平型バスバー用の電流センサコアの製造工程を示す概念図である。
【００４４】
図９に示すように、本実施の形態における電流センサコアは、環状形状を有していることから、所定幅に成型した帯状のコア材Ｔ１を巻き芯ＣＰに巻き付けることにより製造することができる。なお、スリットは、後加工により成形する。
【００４５】
一方、図１０に示すように、平型バスバー用の電流センサコアは、所定幅に成型した帯状のコア材Ｔ１を巻き芯ＣＰに巻き付けた後に（図１０（Ａ））、全体形状を矩形形状にするために成形加工を施す必要がある（図１０（Ｂ））。このように、本実施の形態における電流センサコアは、平型バスバー用の電流センサコアの製造工程に対して、その工程を少なくすることができるため、製造コストを低減させることが可能となる。
【００４６】
次に、図１１を参照して、平型バスバーの製造について説明する。なお、図１１は、平型バスバーの製造工程を示す概念図である。平型バスバーはその横断面が矩形形状であるため、図１１に示すように、鋼板Ｔ２からプレス型を用いて打ち抜くことにより（プレス加工）、平型バスバーＴ２１を製造していた。
【００４７】
そのため、プレス加工用の取代（隣接する製品の間に要する余裕部分）が必要となり、鋼板に対する歩留まりが課題となる。また、予め曲げられた形状を有する平型バスバーを製造する場合には、プレス加工用の取代がさらに大きくなり、歩留まりの悪化、製造コストの上昇が課題となる。
【００４８】
一方、本実施の形態における丸棒バスバーの場合には、丸棒の素材を必要な長さに切断すれば良いため、丸棒バスバーに要する材料コストの低減を図ることが可能になる。また、丸棒に対する曲げ加工も容易に行なうことができるため、さらに製造コストの低減を図ることが可能となる。
【００４９】
次に、図１２から図１６を参照して、図６の樹脂ケース２５０を準備する工程に引き続き、電流センサ組立体２００の組立方法について説明する。なお、図１２から図１６は、電流センサ組立体の組立方法を示す第１から５工程図である。なお、丸棒バスバー２２１，２２２，２２３を一例として説明するが、丸棒バスバー２１１，２１２，２１３も同様である。
【００５０】
まず、図１２を参照して、表面にフランジ２１２２および凸部２１２１が設けられた、所定長さの丸棒バスバー２２１，２２２，２２３を準備する。次に、図１３を参照して、丸棒バスバー２２１，２２２，２２３の一方端側に対して所定の曲げ加工を施す（図１３中のＸで囲まれた流域）。なお、モータジェネレータの端子位置およびＰＣＵのインバータの端子位置との関係から、バスバーへの曲げ加工が不要な場合もある。
【００５１】
次に、図１４を参照して、丸棒バスバー２２１，２２２，２２３の曲げ加工が施されていない端部側から、樹脂ケース２５０に設けられた貫通孔２５３に対して丸棒バスバー２２１，２２２，２２３を通過させる。このとき、丸棒バスバー２２１，２２２，２２３と樹脂ケース２５０との間に設けられた位置決め構造により、両者を容易に位置決めすることができる。
【００５２】
次に、図１５を参照して、樹脂ケース２５０を通過した反対側の丸棒バスバー２２１，２２２，２２３に対して曲げ加工を施す。なお、モータジェネレータの端子位置およびＰＣＵのインバータの端子位置との関係から、バスバーへの曲げ加工が不要な場合もある。
【００５３】
次に、図１６を参照して、丸棒バスバー２２１，２２２，２２３の両端部に対して、端子加工を行なう。端子加工としては、丸棒バスバー２２１，２２２，２２３の両端部に、接続用孔２１１ｃを有する平板状部２１１ｂを設ける。以上の工程により、本実施の形態における電流センサ組立体２００が完成する。
【００５４】
（作用・効果）
以上、本実施の形態における電流センサ組立体２００によれば、バスバーに丸棒バスバーを用いることで、電流センサコアにも、略環状形状の採用が可能となり、電流センサ組立体をより小型化することが可能になる。また、丸棒バスバーに要する費用の低減を図ることが可能になる。さらに、電流センサコアに略環状形状を採用することが可能となり、電流センサコアの製造コストの低減も可能となる。
【００５５】
また、丸棒バスバーと樹脂ケースとの間に位置決め構造を設けることで、製造工程時における両者の間の位置決めを容易に実現することができる。その結果、電流センサ組立体２００の製造工程における歩留まりが向上し、電流センサ組立体２００の製造コストを低減させることが可能になる。
【００５６】
また、丸棒バスバーに対する曲げ加工が容易であることから、丸棒バスバーが装着されていない状態での電流センサ組立体をユニット化することが可能となり、汎用製品として用いることも可能となる。
【００５７】
以上、本発明の実施の形態について説明したが、今回開示された実施の形態は全ての点で例示であって制限的なものではないと考えられるべきである。本発明の範囲は特許請求の範囲によって示され、特許請求の範囲と均等の意味および範囲内での全ての変更が含まれることが意図される。
【符号の説明】
【００５８】
１１，１２，１３，２１，２２，２３  バスバー、１０３,１０４  インバータ、１０５  昇圧コンバータ、１０６  バッテリ、１１０  パワーコントロールユニット（ＰＣＵ）、２００  電流センサ組立体、２１１，２１２，２１３，２２１，２２２，２２３  丸棒バスバー、２１１ｂ  平板状部、２１１ｃ  接続用孔、２１２１  凸部、２１２２  フランジ、２３０  ケーブル、２４０  コネクタ、２５０  樹脂ケース、２５１  本体部、２５２  耳部、２５３  貫通孔、２５４  拡径部、２５６  凹部、２６０  基板、２６１  開口部、２７１，２７２，２７３，２７４  電流センサ、２７１ｃ，２７２ｃ，２７３ｃ，２７４ｃ  電流センサコア、２７１ｓ，２７２ｓ，２７３ｓ，２７４ｓ  スリット、２８１，２８２，２８３，２８４  電流センサ素子、ＭＧ１，ＭＧ２  モータジェネレータ。
【図１】
0005537224.tif 000002
【図２】
0005537224.tif 000003
【図３】
0005537224.tif 000004
【図４】
0005537224.tif 000005
【図５】
0005537224.tif 000006
【図６】
0005537224.tif 000007
【図７】
0005537224.tif 000008
【図８】
0005537224.tif 000009
【図９】
0005537224.tif 000010
【図１０】
0005537224.tif 000011
【図１１】
0005537224.tif 000012
【図１２】
0005537224.tif 000013
【図１３】
0005537224.tif 000014
【図１４】
0005537224.tif 000015
【図１５】
0005537224.tif 000016
【図１６】
0005537224.tif 000017